(57)【要約】  本発明の課題は、規格範囲内の容量のデータを記録したときの読み取りエラー発生率を低減させた光記録ディスクを提供すること、及び、不正コピーを防止することができる光記録ディスクを提供することである。  規格化された所定の記録容量を有する光記録ディスク１において、規格化された書き込み及び読み取りの互換性を維持しつつ、記録容量を前記規格化された記録容量の５％を上限として増加させた。光記録ディスク上における規格化された所定の記録容量を超える容量の領域に、ディスクドライブへの装填時における光記録ディスクの自動実行処理に関わるファイルを記録した。自動実行処理に関わるファイルは、光記録ディスクをディスクドライブに装填した際の、一連の自動実行処理の途中に介在して実行されるようにした。【特許請求の範囲】
【請求項１】
規格化された所定の記録容量を有する光記録ディスクにおいて、
規格化された書き込み及び読み取りの互換性を維持しつつ、記録容量を前記規格化された記録容量の５％を上限として増加させたことを特徴とする光記録ディスク。
【請求項２】
前記記録容量の増加分の下限値を、前記規格化された所定の記録容量の１％としたことを特徴とする請求項１に記載の光記録ディスク。
【請求項３】
前記光記録ディスクは、ＤＶＤまたはＣＤであることを特徴とする請求項１または２に記載の光記録ディスク。
【請求項４】
光記録ディスク上における規格化された所定の記録容量を超える容量の領域に、ディスクドライブへの装填時における光記録ディスクの自動実行処理に関わるファイルを記録したことを特徴とする請求項１乃至３のうちのいずれかに記載の光記録ディスク。
【請求項５】
前記自動実行処理に関わるファイルは、光記録ディスクをディスクドライブに装填した際の、一連の自動実行処理の途中に介在して実行されることを特徴とする請求項４に記載の光記録ディスク。
【発明の詳細な説明】
【技術分野】
【０００１】
本発明は、パーソナルコンピュータのデータや、映像及び音楽データを光データとして記録する光記録ディスクの改良に関する。
【背景技術】
【０００２】
近時、パーソナルコンピュータ（以下、ＰＣと略記）に用いられるプログラムなどのデータ、あるいは、映像データ、音楽データなどを光データとして記録する光記録ディスクが普及している。ＤＶＤに記録された映像データや、音楽ＣＤに記録された音楽データを、ここでは「光データ」と称している。
このような光記録ディスクとしては、ＤＶＤ−ＲＯＭのような読み取り専用のディスクや、ＤＶＤ−Ｒのような書き込み可能なディスク、ＤＶＤ−ＲＷやＤＶＤ−ＲＡＭなどの書き換え可能なディスクがある。
また、記録容量の少ないものとして、ＣＤ−ＲＯＭ、ＣＤ−Ｒ、ＣＤ−ＲＷなどの光ディスクも提供されている。【０００３】
このような光記録ディスクのうち、ＤＶＤ(Digital Versatile Disc)−ＲＯＭやＣＤ(Compact Disc)−ＲＯＭは、データに基づいて製されたプレス原版でプレスすることによりディスク上にデータを記録した状態、又は、レーザ光線でディスク上にデータを焼き付けて記録した状態で提供される。
また、ＤＶＤ−ＲやＣＤ−Ｒ、或いは、ＤＶＤ−ＲＷ、ＣＤ−ＲＷ、ＤＶＤ−ＲＡＭなどの光記録ディスク（光記録メディア）は、データ記録用のソフトウェアを用いてユーザ側で任意にデータを書き込みまたは書き換えが可能なディスクである。【０００４】
特許文献１には、このような光記録ディスクが開示されている。
このような光記録ディスクは、ディスク上に高密度で設けられた溝（グルーブ）にレーザ光を用いてピットを形成することにより、データを記録するものであり、小さなディスクに大容量のデータを記録することが可能である。
特に、ＤＶＤはＣＤの６倍以上の大容量のデータを記録することができ、データストレージの主流になりつつある。【０００５】
このような光記録ディスクは、データを記録する記録膜層を形成する際に、溶剤に溶かした色素剤をディスク上に塗布し、ディスクを回転させながら溶剤を揮発させて記録膜層を形成するスピンコート法などの製法で製造される。
【特許文献１】特開２００３−０５４１２８号公報
【発明の開示】
【発明が解決しようとする課題】
【０００６】
ところが、従来の光記録ディスクは、前記したようなスピンコート法などの製法によって記録膜層が形成されるため、記録膜厚を均一化することが困難であった。
特に、ディスクの最外周部近傍は、記録膜層の厚さにばらつきが生じ易く、このため記録データにばらつきが生じてデータの読み取りエラーが生じ易かった。
また、ディスクに僅かなそりが生じると、ディスク外周部における機械的なぶれが拡大されることとなり、データ読み取りエラーが一層増大する要因となっていた。【０００７】
すなわち、ＤＶＤやＣＤに、規格化された最大の記録容量に略等しい大きさのデータを記録すると、最外周部において読み取りエラーが生じ易く、ディスクの歩留りが著しく低下するために改善が望まれていた。
さらに、光記録ディスクに記録された大容量のデータが不正コピーされると、甚大な損害が発生するので、不正コピーを防止したいという要望があった。【０００８】
本発明は、このような事情に鑑みて提案されるもので、規格範囲内の容量のデータを記録する場合のエラー発生率を低減させることにより、製造性、信頼性を向上させた光記録ディスクを提供することを目的としている。また、同時に、不正コピーを防止することができる光記録ディスクを提供することを目的としている。
【課題を解決するための手段】
【０００９】
前記目的を達成するために提案される本発明は、規格化された所定の記録容量を有する光記録ディスクにおいて、規格化された書き込み及び読み取りの互換性を維持しつつ、記録容量を前記規格化された記録容量の５％を上限として増加させたことを特徴とする光記録ディスクである。【００１０】
ここで、光記録ディスクは、ディスク上に設けられた溝（グルーブ）にレーザ光を照射し、記録膜層にピットを形成することによりデータが記録される。【００１１】
本発明によれば、書き込み及び読み取りの互換性を維持しつつ、光記録ディスクに記録可能な記録容量を規格化された記録容量の５％以下の範囲で増加させる。従って、規格化された所定の記録容量に相当する大きさのデータを記録した場合であっても、ディスクの外周側の近傍には、データが記録されないエリアが形成される。【００１２】
すなわち、本発明の光記録ディスクに、規格化された所定の記録容量よりも小さいデータを記録する場合には、ディスクの読み取りエラーが生じ易い最外周部近傍にデータが記録されることがないため、エラー発生率を低減して信頼性を向上させることが可能となる。
また、最外周部近傍にデータが記録されないので、従来のスピンコート法などを適用した製造装置を用いることができ、エラー発生率を低減しつつ省コスト化を図ることが可能となる。【００１３】
記録容量の増加量が５％を超えると、規格化された書き込み及び読み取りの互換性を維持することが困難となる。したがって、記録容量の増加量は、規格化された記録容量の５％以下であることが望ましい。【００１４】
本発明において、記録容量を規格化された記録容量よりも増加させる手段としては、光記録ディスクに施される物理フォーマットのトラック密度を増加させる構成を採ることが可能である。【００１５】
また、本発明は、前述の光記録ディスクにおいて、記録容量の増加分の下限値を、規格化された所定の記録容量の１％とした。【００１６】
本発明を実施すると、ディスクの記録容量を、規格化された所定の記録容量の１％以上増加させることにより、ディスクの外周部近傍に所定幅のデータが記録されないエリアを生成することができ、エラーの発生率を低減させることが可能となる。
記録容量の増加分の下限値が、規格化された所定の記録容量の１％未満の場合は、ディスクの外周部に形成されるデータの記録されないエリアの幅が少なく、エラー発生率の低減効果が少ない。
よって、記録容量の増加分の最小値は、規格化された所定の記録容量の１％以上であることが望ましい。さらに記録容量の増加分を３％程度に設定すると、書き込み及び読み取りのエラーの発生率の低減化と、書き込み及び読み取りの互換性の維持とを両立するのに最適である。【００１７】
本発明は、前述の光記録ディスクを、ＤＶＤまたはＣＤとした。
本発明を、ＤＶＤ−ＲＯＭやＤＶＤ−Ｒ、ＤＶＤ−ＲＷ、ＤＶＤ−ＲＡＭに適用すると、データの記録及び／又はデータの読み取りに関するエラーの発生率を低減させることができる。また、ＣＤ−ＲＯＭやＣＤ−Ｒ、ＣＤ−ＲＷに適用すれば、ＤＶＤメディアと同様にエラー発生率を低減させることが可能である。【００１８】
本発明では、光記録ディスク上における規格化された所定の記録容量を超える容量の領域に、ディスクドライブへの装填時における光記録ディスクの自動実行処理に関わるファイルを記録するようにした。
さらに本発明は、前記自動実行処理に関わるファイルを、光記録ディスクをディスクドライブに装填した際の、一連の自動実行処理の途中に介在して実行されるようにした。【００１９】
これにより、当該光記録ディスクの内容を、規格化された容量をもつ別の光記録ディスクにコピーしても、自動実行処理に関わるファイルはコピーされないため、コピーされた光記録ディスクがディスクドライブに装填されても、自動実行処理に関わるファイルがコピーされた光記録ディスク上には存在しないので、光記録ディスクに記録された内容は再生されない。したがって、プロテクト効果を奏することができる。
【発明の効果】
【００２０】
本発明を実施すると、データの最大記録容量を僅かに増加させるだけの極めて簡単な構成により、規格化された書き込み及び読み取りの互換性を維持しつつ、データの記録に関するエラー及び／又はデータの読み取りに関するエラーの発生率を著しく低減させることができ、信頼性を向上させた光ディスクを安価に提供することができる。【００２１】
また、光記録ディスク上における規格化された所定の記録容量を超える容量の領域に、ディスクドライブへの装填時における光記録ディスクの自動実行処理に関わるファイルを記録することにより、不正コピーに対するプロテクト効果を奏することができる。
【図面の簡単な説明】
【００２２】
【図１】本発明の実施形態に係る光記録ディスク（ＤＶＤ−Ｒ）のデータ記録領域を示す模式図である。
【図２】図１に示す光記録ディスクにデータを記録した状態を示す模式図である。
【符号の説明】
【００２３】
１    光記録ディスク（ＤＶＤ−Ｒ）
【発明を実施するための最良の形態】
【００２４】
以下に、図面を参照して本発明の実施形態を説明する。
図１は本実施形態の光記録ディスク（ＤＶＤ−Ｒ）１のデータ記録領域を示す説明図、図２は図１の光記録ディスク１にデータを記録した状態を示す模式図である。【００２５】
本実施形態の光記録ディスク１は、図１のように、従来のＤＶＤ−Ｒと同一の規格化された外形を有するディスクである。但し、従来のＤＶＤ−Ｒの記録容量は４．７ＧＢであるが、本実施形態の光記録ディスク１の記録容量は、従来のＤＶＤ−Ｒの記録容量よりも１５０ＭＢだけ多い４．８５ＧＢとされている。【００２６】
すなわち、本実施形態の光記録ディスク１の記録容量は、従来のＤＶＤ−Ｒにおいて規格化された４．７ＧＢの記録容量よりも、約３．２％大きい。
本実施形態では記録容量の増加を、光記録ディスク１に施す物理フォーマットのトラック密度を増加させることによって行っている。【００２７】
従来のＤＶＤ−Ｒと同様に、図１に示すように、光記録ディスク１は、ディスク中心から半径２２．６ｍｍの円１１と、中心から半径５８ｍｍの円１２とで囲まれる領域に、記録膜層１０ａが形成されたデータ記録領域１０を有している。このデータ記録領域１０の記録容量が４．８５ＧＢに設定されている。【００２８】
本実施形態の光記録ディスク１に、従来のＤＶＤ−Ｒで規格化された最大記録容量である４．７ＧＢのデータを記録すると、図２に示すように、内周側の円１１から半径２４ｍｍまでの領域１３にリードインデータが記録され、又、領域１３の外周側の領域１５にデータ本体が記録される。そして、領域１５より外周側の領域１４にリードアウトデータが記録される。【００２９】
ここで、リードインデータは、光記録ディスク１の書き込み及び読み取りを制御するデータであり、物理フォーマットに関する情報、ディスクサイズ、最大転送レート情報、層数、トラックパス方向、全面ROMかパーシャルROMか、記録線密度、トラック密度、スタートセクタとエンドセクタナンバーの情報が含まれる。
また、リードアウトデータには、データの記録を終了するセッション終了データが含まれている。【００３０】
従って、本実施形態の光記録ディスク１に、従来のＤＶＤ−Ｒで規格化された最大記録容量である４．７ＧＢのデータを記録すると、リードアウトデータが記載された領域１４の外側に、データが記録されない容量１５０ＭＢの領域１６が生じる。【００３１】
ここで、光記録ディスク１の外周側の領域１６付近は、前記したように、ディスクのそりや製造時における記録膜層の厚さのばらつきが生じ易く、データの記録時や記録したデータの読み取り時のエラー発生率が高い。【００３２】
しかし、本実施形態の光記録ディスク１に４．７ＧＢのデータを記録すると、領域１３と領域１４の間の領域１５に必要なデータ（データ本体）が記録され、リードアウトデータが記録された領域１４の外側の領域１６にはデータが記録されない。
これにより、読み取りエラー発生率が高い領域１６へのデータの記録が回避されることとなり、読み取りエラーを低減することが可能となる。【００３３】
このように、物理フォーマットのトラック密度を増加させて、光記録ディスク１の記録容量を、従来の規格化された４．７ＧＢの記録容量よりも約３．２％増加させることにより、光記録ディスク１の品質を向上させることができる。よって、データ記録時のエラー及び／又はデータの読み取り時のエラーを効果的に抑制することができ、信頼性を向上させることができる。さらに、粗悪品が激減し、製造コストの低減化を図ることができる。【００３４】
尚、本実施形態では、記録メディアとしてＤＶＤ−Ｒを例に挙げて説明したが、ＤＶＤ−Ｒの代わりに、ＤＶＤ−ＲＷ、ＤＶＤ−ＲＡＭ、或いは、ＤＶＤ−ＲＯＭに対して本発明を実施することも可能である。これらの光記録メディアは、プレス原版を用いて製造しても、レーザ光線による焼き付けによって製造してもよい。【００３５】
また、ＤＶＤの代わりに、ＣＤ−ＲやＣＤ−ＲＷ、或いは、ＣＤ−ＲＯＭに対して本発明を実施することも可能である。これらの光記録メディアも、プレス原版を用いて製造しても、レーザ光線による焼き付けによって製造してもよい。【００３６】
また、本実施形態では、記録層数について言及していないが、１層または２層の記録層を有するＤＶＤに適用することが可能である。
また、本実施形態では、記録するデータ種別を限定していないが、ＰＣに用いるプログラムや付随データ、或いは、映像データ、音楽データなどを記録する光記録ディスク１とすることが可能である。【００３７】
ここで、本実施形態の光記録ディスク１を利用してデータのコピープロテクトを行う構成を採ることが可能である。
コピープロテクトを行う構成の一例としては、図２において、例えば、光記録ディスク１にデータを記録する際に、光記録ディスク１を自動的に起動させるAutorun.exe ファイル（実行ファイル）と、当該Autorun.exe ファイルを自動起動に指定するAutorun.infファイル（インフォメーションファイル）とを領域１５に記録する。【００３８】
更に、従来のＤＶＤ−Ｒで規格された４．７ＧＢを超える領域１６に、Protect.exeファイルを記録する構成を採る。すなわち、処理対象の実行ファイルを、Autorun.exe ファイルから領域１６に記録されたProtect.exeファイルに変更し、さらに再びAutorun.exe ファイルに変更するように、テキストファイルであるAutorun.inf ファイルに、実行するファイルの順番を記述しておく。【００３９】
この構成によれば、当該光記録ディスク１をディスクドライブに装填すると、Autorun.exe ファイルが実行され、更にProtect.exeファイルが実行された後に再びAutorun.exeファイルに戻ってディスクの再生などの指定された制御が行われる。
すなわち、最初にAutorun.exe ファイルが実行され、次にProtect.exeファイルが実行され、さらにAutorun.exeファイルが実行されて所定の処理が行われる。【００４０】
この光記録ディスク１のデータを、別の４．７ＧＢの容量のＤＶＤ−Ｒなどにコピーしても、光記録ディスク１の領域１６に記録されたProtect.exe ファイルとリードアウトデータとが記録されない。すなわち、コピーされた別の４．７ＧＢの容量のＤＶＤ−Ｒには、リードインデータと記録しようとするデータだけが記録され、Protect.exeファイルとリードアウトデータとが記録されない。【００４１】
このため、コピーされた４．７ＧＢの容量のＤＶＤ−Ｒをディスクドライブに装填しても、Autorun.exeファイルが最初に自動実行されるが、Protect.exeファイルの実行に移行する段階で、Protect.exe ファイルが存在しないためにエラーが発生する。よって、再度Autorun.exeファイルが実行されることがない。これにより、コピーされた４．７ＧＢのＤＶＤ−Ｒの再生が阻止されることとなり、データのプロテクトを効果的に実施することが可能となる。【００４２】
尚、このようなコピープロテクトは、本実施形態の光記録ディスク１のデータを４．７ＧＢのＤＶＤ−Ｒにコピーする場合に限らず、同一の４．７ＧＢの記録容量を有する別の記録メディアであるＤＶＤ−ＲＷやＤＶＤ−ＲＡＭにコピーした場合にも同様のプロテクト効果を奏することが可能である。【００４３】
また、ＤＶＤに限らず、規格化された所定の記録容量を増加した記録容量を有するＣＤに同様の構成を適用することにより、当該ＣＤのデータを規格化された所定の記録容量のＣＤにコピーした場合にも同様のプロテクト効果を奏することが可能となる。すなわち、本発明を実施すると、記録メディアが、ＣＤ−ＲＯＭ、ＣＤ−Ｒ、及びＣＤ−ＲＷであっても、上述したＤＶＤの場合と同様にプロテクト効果を奏することができる。
【図１】
2006030897.tif 000002
【図２】
2006030897.tif 000003
【国際調査報告】
2006030897.tif 000004
2006030897.tif 000005
2006030897.tif 000006
2006030897.tif 000007